(57)【要約】【課題】ユーザがコンテンツのファイル形式を意識することなく端末装置と情報管理装置の同期が行えるようにすること。【解決手段】情報管理装置１０の処理部１０１は、通信部１０６により接続した端末装置２０から、該端末装置２０で再生可能なコンテンツの種類に関する情報を取得し、端末装置２０のコンテンツメモリ２０５が記憶しているコンテンツに関する情報と情報メモリ１０５が記憶しているコンテンツに関する情報とを記憶するデバイス管理ＤＢ１０４を基に、上記情報メモリ１０５に記憶されているコンテンツのうち、上記端末装置２０で再生可能な種類のコンテンツであるが、上記端末装置２０の上記コンテンツメモリ２０５に記憶されていないコンテンツを選別し、それら選別されたコンテンツを上記情報メモリ１０５から抽出して、上記端末装置２０に送信する。【選択図】図１
2006107191.tif 000002
【特許請求の範囲】
【請求項１】
複数のマルチメディアコンテンツを記憶する第１の記憶手段及び上記コンテンツを再生するコンテンツ再生手段を有する情報再生装置との間で情報を送受信する通信手段と、
マルチメディアコンテンツを含む情報を記憶する第２の記憶手段と、
上記情報再生装置の上記第１の記憶手段が記憶しているコンテンツに関する情報と、上記第２の記憶手段が記憶しているコンテンツに関する情報とを記憶する情報管理データベースと、
上記情報管理データベースに記憶されている情報を基に、上記通信手段により接続されている上記情報再生装置の上記第１の記憶手段に記憶されるコンテンツを管理するコンテンツ管理手段と、
上記情報再生装置から、上記情報再生装置の上記コンテンツ再生手段が再生可能なコンテンツの種類に関する情報を取得するコンテンツ種別取得手段と、
を具備し、
上記コンテンツ管理手段は、
上記情報管理データベースを基に、上記第２の記憶手段に記憶されているコンテンツのうち、上記コンテンツ種別取得手段が取得した上記情報再生装置の上記コンテンツ再生手段で再生可能な種類のコンテンツであるが、上記情報再生装置の上記第１の記憶手段に記憶されていないコンテンツを、上記第２の情報記憶手段から抽出し、
それら抽出したコンテンツを上記情報再生装置に送信する、
ことを特徴とする情報管理装置。
【請求項２】
情報を表示するディスプレイと、
上記コンテンツのインデックスを上記ディスプレイに表示するインデックス表示手段と、
上記インデックス表示手段で上記ディスプレイに表示されているインデックスを１つ以上選択するインデックス選択手段と、
を更に具備し、
上記インデックス表示手段は、
上記情報管理データベースを基に、上記コンテンツ管理手段が管理しているコンテンツのインデックスを上記インデックス表示手段で上記ディスプレイに表示し、
上記ディスプレイに表示された上記インデックスのうち、上記情報再生装置の上記コンテンツ再生手段が再生可能な情報のインデックスの表示形態と、上記コンテンツ再生手段が再生不可能なコンテンツのインデックスの表示形態とを変えて表示する、
ことを特徴とする請求項１に記載の情報管理装置。
【請求項３】
上記インデックス選択手段は、上記ディスプレイに表示されたインデックスのうち、上記情報再生装置の上記コンテンツ再生手段が再生可能なコンテンツのインデックスは選択可能であり、上記コンテンツ再生手段が再生不可能なコンテンツのインデックスは選択不可能であることを特徴とする請求項２に記載の情報管理装置。
【請求項４】
上記インデックス表示手段は、上記情報再生装置の上記コンテンツ再生手段が再生不可能なコンテンツのインデックスは、上記コンテンツ再生手段が再生可能なコンテンツのインデックスに較べて、明度または彩度を下げて上記ディスプレイに表示することを特徴とする請求項３の情報管理装置。
【請求項５】
上記インデックス表示手段は、上記情報再生装置の上記コンテンツ再生手段が再生可能なコンテンツのインデックスには選択欄を表示することを特徴とする請求項３に記載の情報管理装置。
【請求項６】
上記コンテンツ管理手段は、上記コンテンツに付随する著作権管理情報を読み取り、その読み取った著作権情報をもとに、コンテンツのコピーまたは移動の許可を判定する著作権情報判定手段を有し、
上記インデックス表示手段は、上記著作権判定手段が判定したコンテンツそれぞれのコピーまたは移動の許可状況に応じて、各コンテンツのインデックスの表示の形態を変えて表示する、
ことを特徴とする請求項２に記載の情報管理装置。
【請求項７】
上記インデックス表示手段は、コピーと移動の何れも不可能なコンテンツは上記インデックス選択手段で選択不可能な形態のインデックスの表示とし、
上記コンテンツ管理手段は、上記インデックス選択手段で選択された移動のみ可能なコンテンツについては、上記通信手段により当該移動のみ可能なコンテンツを上記情報再生装置に送信した後、上記第２の記憶手段から上記送信したコンテンツを削除する、
ことを特徴とする請求項６に記載の情報管理装置。
【請求項８】
上記コンテンツは、画像コンテンツ、ビデオコンテンツ、音声コンテンツの少なくとも１つを含むことを特徴とする請求項１乃至７の何れかに記載の情報管理装置。
【請求項９】
複数のマルチメディアコンテンツを記憶する第１の記憶手段及び上記コンテンツを再生するコンテンツ再生手段とを有する情報再生装置との間で情報を送受信する通信手段と、マルチメディアコンテンツを含む情報を記憶する第２の記憶手段と、上記第１の記憶装置が記憶しているコンテンツに関する情報と上記第２の記憶装置が記憶しているコンテンツに関する情報とを記憶する情報管理データベースと、を有する情報管理装置で実行されるプログラムであって、
上記通信手段により上記情報再生装置と接続する接続ステップと、
上記接続ステップで接続した上記情報再生装置から、上記情報再生装置の上記コンテンツ再生手段で再生可能なコンテンツの種類に関する情報を取得するコンテンツ種別取得ステップと、
上記情報管理データベースを基に、上記第２の記憶手段に記憶されているコンテンツのうち、上記コンテンツ種別取得ステップで取得した上記情報再生装置の上記コンテンツ再生手段で再生可能な種類のコンテンツであるが、上記情報再生装置の上記第１の記憶手段に記憶されていないコンテンツを選別するコンテンツ選別ステップと、
上記コンテンツ選別ステップで選別されたコンテンツを上記第２の記憶手段から抽出し、それら抽出したコンテンツを上記情報再生装置に送信するコンテンツ送信ステップと、
を有することを特徴とする情報管理プログラム。
【請求項１０】
上記コンテンツ選別ステップは、上記第２の記憶装置又は上記情報再生装置の上記第１の記憶装置に記憶されているコンテンツのインデックスを表示するインデックス表示ステップを有し、
上記インデックス表示ステップで表示されたインデックスのうち、上記情報再生装置の上記コンテンツ再生手段が再生可能なコンテンツのインデックスの表示形態と、上記コンテンツ再生手段が再生不可能なコンテンツのインデックスの表示形態とを変えて表示する、
ことを特徴とする請求項９に記載の情報管理プログラム。
【請求項１１】
上記表示されているインデックスから１つ以上のインデックスを選択するインデックス選択ステップを更に有し、
上記表示されたインデックスのうち、上記情報再生装置の上記コンテンツ再生手段が再生可能なコンテンツのインデックスは上記インデックス選択ステップで選択可能であり、上記コンテンツ再生手段が再生不可能なコンテンツのインデックスは、上記インデックス選択ステップで選択不可能である、
ことを特徴とする請求項１０に記載の情報管理プログラム。
【請求項１２】
上記表示されたインデックスのうち、上記情報再生装置の上記コンテンツ再生手段が再生不可能なコンテンツのインデックスは、上記コンテンツ再生手段が再生可能なコンテンツのインデックスに較べて、明度または彩度を下げて表示することを特徴とする請求項１１に記載の情報管理プログラム。
【請求項１３】
上記インデックス表示ステップは、上記情報再生装置の上記コンテンツ再生手段が再生可能なコンテンツのインデックスには選択欄を表示することを特徴とする請求項１１に記載の情報管理プログラム。
【請求項１４】
上記コンテンツに付随する著作権管理情報読み取り、その読み取った著作権情報をもとに、コンテンツのコピーまたは移動の許可を判定する著作権情報判定ステップを更に有し、
上記インデックス表示ステップは、上記著作権情報判定ステップで判定したコンテンツそれぞれのコピーまたは移動の許可状況に応じて、各コンテンツのインデックスの表示の形態を変えて表示する、
ことを特徴とする請求項１０に記載の情報管理プログラム。
【請求項１５】
上記インデックス表示ステップは、コピーと移動の何れも不可能なコンテンツは選択不可能な形態のインデックス表示とし、
上記インデックス選択ステップで選択された移動のみ可能なコンテンツについては、上記通信手段により当該移動のみ可能なコンテンツを上記情報再生装置に送信した後、上記第２の記憶手段から上記送信したコンテンツを削除するコンテンツ削除ステップを更に有する、
ことを特徴とする請求項１４に記載の情報管理プログラム。
【請求項１６】
上記コンテンツは、画像コンテンツ、ビデオコンテンツ、音声コンテンツの少なくとも１つを含むことを特徴とする請求項８乃至１５の何れかに記載の情報管理プログラム。
【請求項１７】
複数のマルチメディアコンテンツを記憶する第１の記憶手段及び上記コンテンツを再生するコンテンツ再生手段とを有する情報再生装置との間で情報を送受信する通信手段と、マルチメディアコンテンツを含む情報を記憶する第２の記憶手段と、上記第１の記憶装置が記憶しているコンテンツに関する情報と上記第２の記憶装置が記憶しているコンテンツに関する情報とを記憶する情報管理データベースと、を有するコンピュータで実行されるプログラムを格納した記録媒体であって、
上記通信手段により上記情報再生装置と接続する接続処理と、
上記接続処理で接続した上記情報再生装置から、上記情報再生装置の上記コンテンツ再生手段で再生可能なコンテンツの種類に関する情報を取得するコンテンツ種別取得処理と、
上記情報管理データベースを基に、上記第２の記憶手段に記憶されているコンテンツのうち、上記コンテンツ種別取得ステップで取得した上記情報再生装置の上記コンテンツ再生手段で再生可能な種類のコンテンツであるが、上記情報再生装置の上記第１の記憶手段に記憶されていないコンテンツを選別するコンテンツ選別処理と、
上記コンテンツ選別処理で選別されたコンテンツを上記第２の記憶手段から抽出し、それら抽出したコンテンツを上記情報再生装置に送信するコンテンツ送信処理と、
をコンピュータに実行させる命令を含むプログラムを格納した、コンピュータが読み取り可能な記録媒体。
【発明の詳細な説明】
【技術分野】
【０００１】
本発明は、マルチメディアコンテンツを再生する情報再生装置が記憶する複数のコンテンツを管理する情報管理装置、及びそのような情報管理装置で実行される情報管理プログラム、並びに、コンピュータをそのような情報管理装置として機能させるためのプログラムを格納したコンピュータが読み取り可能な記録媒体に関する。
【背景技術】
【０００２】
例えば、特許文献１に開示されているように、ハードディスクを有する音楽再生端末等の端末装置では、記憶するコンテンツの管理は、ホストＰＣ等の情報管理装置で、同期処理という方法でなされている。この同期処理とは、端末装置と情報管理装置とを接続し、端末装置に記憶されるコンテンツが、情報管理装置に記憶されているものと等しくなるようにする処理のことである。この場合、端末装置に記憶されていないコンテンツを一括して情報管理装置から伝送する。
【特許文献１】ＵＳ  ２００３／０１６７３１８  Ａ１
【発明の開示】
【発明が解決しようとする課題】
【０００３】
機種の異なる多数の端末装置を１台の情報管理装置で管理する場合には、再生可能なフォーマットが各機種で異なることがあるため、ユーザが対応しているフォーマットのコンテンツを選択して同期処理を実行する必要があった。
【０００４】
本発明は、上記の点に鑑みてなされたもので、ユーザがコンテンツのファイル形式を意識することなく端末装置と情報管理装置が行える情報管理装置、情報管理プログラム、及び記録媒体を提供することを目的とする。
【課題を解決するための手段】
【０００５】
本発明の情報管理装置の一態様は、
複数のマルチメディアコンテンツを記憶する第１の記憶手段及び上記コンテンツを再生するコンテンツ再生手段を有する情報再生装置との間で情報を送受信する通信手段と、
マルチメディアコンテンツを含む情報を記憶する第２の記憶手段と、
上記情報再生装置の上記第１の記憶手段が記憶しているコンテンツに関する情報と、上記第２の記憶手段が記憶しているコンテンツに関する情報とを記憶する情報管理データベースと、
上記情報管理データベースに記憶されている情報を基に、上記通信手段により接続されている上記情報再生装置の上記第１の記憶手段に記憶されるコンテンツを管理するコンテンツ管理手段と、
上記情報再生装置から、上記情報再生装置の上記コンテンツ再生手段が再生可能なコンテンツの種類に関する情報を取得するコンテンツ種別取得手段と、
を具備し、
上記コンテンツ管理手段は、
上記情報管理データベースを基に、上記第２の記憶手段に記憶されているコンテンツのうち、上記コンテンツ種別取得手段が取得した上記情報再生装置の上記コンテンツ再生手段で再生可能な種類のコンテンツであるが、上記情報再生装置の上記第１の記憶手段に記憶されていないコンテンツを、上記第２の情報記憶手段から抽出し、
それら抽出したコンテンツを上記情報再生装置に送信する、
ことを特徴とする。
【０００６】
また、本発明の情報管理プログラムの一態様は、複数のマルチメディアコンテンツを記憶する第１の記憶手段及び上記コンテンツを再生するコンテンツ再生手段とを有する情報再生装置との間で情報を送受信する通信手段と、マルチメディアコンテンツを含む情報を記憶する第２の記憶手段と、上記第１の記憶装置が記憶しているコンテンツに関する情報と上記第２の記憶装置が記憶しているコンテンツに関する情報とを記憶する情報管理データベースと、を有する情報管理装置で実行されるプログラムであって、
上記通信手段により上記情報再生装置と接続する接続ステップと、
上記接続ステップで接続した上記情報再生装置から、上記情報再生装置の上記コンテンツ再生手段で再生可能なコンテンツの種類に関する情報を取得するコンテンツ種別取得ステップと、
上記情報管理データベースを基に、上記第２の記憶手段に記憶されているコンテンツのうち、上記コンテンツ種別取得ステップで取得した上記情報再生装置の上記コンテンツ再生手段で再生可能な種類のコンテンツであるが、上記情報再生装置の上記第１の記憶手段に記憶されていないコンテンツを選別するコンテンツ選別ステップと、
上記コンテンツ選別ステップで選別されたコンテンツを上記第２の記憶手段から抽出し、それら抽出したコンテンツを上記情報再生装置に送信するコンテンツ送信ステップと、
を有することを特徴とする。
【０００７】
また、本発明の記録媒体の一態様は、複数のマルチメディアコンテンツを記憶する第１の記憶手段及び上記コンテンツを再生するコンテンツ再生手段とを有する情報再生装置との間で情報を送受信する通信手段と、マルチメディアコンテンツを含む情報を記憶する第２の記憶手段と、上記第１の記憶装置が記憶しているコンテンツに関する情報と上記第２の記憶装置が記憶しているコンテンツに関する情報とを記憶する情報管理データベースと、を有するコンピュータで実行されるプログラムを格納した記録媒体であって、
上記通信手段により上記情報再生装置と接続する接続処理と、
上記接続処理で接続した上記情報再生装置から、上記情報再生装置の上記コンテンツ再生手段で再生可能なコンテンツの種類に関する情報を取得するコンテンツ種別取得処理と、
上記情報管理データベースを基に、上記第２の記憶手段に記憶されているコンテンツのうち、上記コンテンツ種別取得ステップで取得した上記情報再生装置の上記コンテンツ再生手段で再生可能な種類のコンテンツであるが、上記情報再生装置の上記第１の記憶手段に記憶されていないコンテンツを選別するコンテンツ選別処理と、
上記コンテンツ選別処理で選別されたコンテンツを上記第２の記憶手段から抽出し、それら抽出したコンテンツを上記情報再生装置に送信するコンテンツ送信処理と、
をコンピュータに実行させる命令を含むプログラムを格納したことを特徴とする。
【発明の効果】
【０００８】
本発明によれば、ユーザがコンテンツのファイル形式を意識することなく端末装置と情報管理装置の同期が行える情報管理装置、情報管理プログラム、及び記録媒体を提供することができる。
【発明を実施するための最良の形態】
【０００９】
以下、本発明を実施するための最良の形態を図面を参照して説明する。
【００１０】
［第１実施形態］
図１は、本発明の第１実施形態に係る情報管理装置１０、及び該情報管理装置１０が管理するマルチメディアコンテンツを転送記憶して再生する情報再生装置としての端末装置２０の構成を示す図である。
【００１１】
即ち、情報管理装置１０は、パーソナルコンピュータ（ＰＣ）により構成されるもので、ＣＰＵ等の処理部１０１を備え、該処理部１０１に、システムバス１０２を介して、プログラムメモリ１０３、デバイス管理データベース（ＤＢ）１０４、情報メモリ１０５、通信部１０６、表示部１０７、及び音声再生部１０８が接続されている。ここで、上記プログラムメモリ１０３は、上記処理部１０１で実行される本実施形態に係る情報管理プログラム等の各種制御プログラムを記憶するものであり、上記デバイス管理ＤＢ１０４は、該情報管理装置１０に接続される端末装置２０及び、端末装置２０が記憶するマルチメディアコンテンツを管理するための各種情報を記憶するものである。また、上記情報メモリ１０５は、ハードディスクドライブ（ＨＤＤ）により構成され、画像コンテンツ、ビデオコンテンツ、音声コンテンツ等の各種マルチメディアコンテンツを記憶するものである。上記通信部１０６は、有線又は無線により、端末装置２０との間でデータを送受信するものである。これは、例えばＵＳＢインタフェース等であり、端末装置２０が接続されことを検出する機能を備えている。そして、上記表示部１０７は、ディスプレイ１０９に画像コンテンツやビデオコンテンツ、更には各種の操作画面を表示させるものであり、上記音声再生部１０８はスピーカ１１０に音声コンテンツやビデオコンテンツに含まれる音声を出力させるものである。
【００１２】
また、端末装置２０は、ＣＰＵ等の処理部２０１を備え、該処理部２０１に、システムバス２０２を介して、プログラムメモリ２０３、デバイスＩＤメモリ２０４、コンテンツメモリ２０５、通信部２０６、表示部２０７、及び音声再生部２０８が接続されている。ここで、上記プログラムメモリ２０３は、上記処理部２０１で実行される各種制御プログラムを記憶するものであり、また、当該端末装置２０で再生可能なコンテンツの種類情報も記憶している。この再生可能なコンテンツは、ファームウェアのアップデートにより更新されるものである。また、上記デバイスＩＤメモリ２０４は、当該端末装置２０を特定するために各端末装置に固有なデバイスＩＤを記憶しているものである。これは、書き換え不可能に記憶されている。また、上記コンテンツメモリ２０５は、ＨＤＤや大容量の半導体メモリで構成され、上記情報管理装置１０から転送されてきた各種マルチメディアコンテンツを記憶するものである。上記通信部２０６は、有線又は無線により、上記情報管理装置１０との間でデータを送受信するものである。そして、上記表示部２０７は、液晶等のディスプレイ２０９に画像コンテンツやビデオコンテンツを表示させるものであり、上記音声再生部２０８はスピーカ２１０に音声コンテンツやビデオコンテンツに含まれる音声を出力させるものである。
【００１３】
図２は、上記情報管理装置１０のデバイス管理ＤＢ１０４の記憶構成を示す図である。即ち、このデバイス管理ＤＢ１０４には、該情報管理装置１０に接続する機器として登録された端末装置２０毎のデバイス管理情報１０４Ａと、情報メモリ１０５に記憶されているコンテンツがどのようなものであるのかを示すホストコンテンツ情報１０４Ｂとが記憶されている。ここで、端末装置２０毎のデバイス管理情報１０４Ａは、それぞれ、当該端末装置２０を特定するためのデバイスＩＤ１０４Ａ１と、当該端末装置２０のコンテンツメモリ２０５に記憶されているコンテンツがどのようなものであるのかを示すデバイスコンテンツ情報１０４Ａ２とを含むものである。
【００１４】
図３は、情報管理装置１０の表示部１０７によってディスプレイ１０９に表示される管理画面３００を示す図である。即ち、この管理画面３００は、その上部に、図示しないマウスのクリック操作によってＯＮされる同期ボタン３０１と終了ボタン３０２とを有し、その下に、上記デバイス管理ＤＢ１０４のホストコンテンツ情報１０４Ｂで管理されている情報メモリ１０５に記憶されたマルチメディアコンテンツの内容を表すインデックスの一覧が、コンテンツリスト３０３として表示されるようになっている。なお、該管理画面３００の右側のスクロールバー３０４は、その操作により、一画面内に表示しきれないコンテンツの情報をスクロール表示させるためのものである。また、コンテンツリスト３０３における各コンテンツの情報の左側には、インデックスとして同期チェックボックス３０５が配され、該同期チェックボックス３０５にチェックを付けられたコンテンツが端末装置２０に転送（コピー）されることを示すようになっている。この同期チェックボックス３０５のチェックは、マウスのクリック操作によって付ける／付けないをユーザが選択できる。
【００１５】
なお、図３は、音声コンテンツのコンテンツリストを示しているが、画像コンテンツやビデオコンテンツも同様にリスト表示でき、また、画像コンテンツ、ビデオコンテンツ、音声コンテンツを混在表示しても構わないことは勿論である。
【００１６】
次に、上記情報管理装置１０の処理部１０１によって、上記プログラムメモリ１０３に記憶された情報管理プログラムに従った動作を、図４のフローチャートを参照して説明する。
【００１７】
即ち、まず、通信部１０６により、端末装置２０が接続されたことを検出したとき（ステップＳ１）、その端末装置２０からデバイスＩＤメモリ２０４に記憶されているデバイスＩＤを読み出す（ステップＳ２）。これは、端末装置２０にデバイスＩＤの送信を要求して、送られてきたデバイスＩＤを受信するものである。
【００１８】
そして、上記デバイスＩＤが、デバイス管理ＤＢ１０４に記憶されているか否かを判別する（ステップＳ３）。ここで、記憶されていない場合には、処理を終了する。勿論、デバイス管理ＤＢ１０４への新規登録を行うようにしても良い。
【００１９】
デバイス管理ＤＢ１０４にデバイスＩＤが記憶されていた場合には（ステップＳ３）、詳細は後述するような管理画面表示サブルーチンを実行する（ステップＳ４）。そしてその後、ユーザの操作待ちとなる。
【００２０】
ここで、管理画面３００の同期チェックボックス３０５が操作されたことを検出すると（ステップＳ５）、詳細は後述するようなコンテンツ選択サブルーチンを実行し（ステップＳ６）、その後、再びユーザの操作待ちとなる。
【００２１】
また、管理画面３００の同期ボタン３０１が押されたことを検出すると（ステップＳ７）、詳細は後述するような同期処理サブルーチンを実行し（ステップＳ８）、その後、再びユーザの操作待ちとなる。
【００２２】
そして、管理画面３００の終了ボタン３０２が押されたことを検出すると（ステップＳ９）、処理を終了する。
【００２３】
図５は、上記ステップＳ４でコールされる管理画面表示サブルーチンの詳細フローチャートを示す図である。
【００２４】
即ち、まず、端末装置２０から再生可能なコンテンツの種類情報を取得する（ステップＳ４０１）。これは、通信部１０６によって端末装置２０に再生可能なコンテンツの種類情報の送信を要求して、それに応じて端末装置２０でプログラムメモリ２０３に記憶された再生可能なコンテンツの種類情報が読み出されて送信されてくるので、それを同じく通信部１０６によって受信し、処理部１０１の内部メモリ等に保持するものである。
【００２５】
次に、情報メモリ１０５に記憶されている、デバイス管理ＤＢ１０４がホストコンテンツ情報１０４Ｂで管理する全てのコンテンツを特定し（ステップＳ４０２）、それら特定された全コンテンツの一覧を生成して、処理部１０１の内部メモリ等に保持する（ステップＳ４０３）。
【００２６】
その後、上記取得した端末装置２０で再生可能なコンテンツの種類情報に従って、上記全コンテンツ一覧から端末装置２０で再生可能なコンテンツを抽出して、同期コンテンツグループを生成し、処理部１０１の内部メモリ等に保持する（ステップＳ４０４）。そして、上記生成した同期コンテンツグループに属するコンテンツの同期フラグ情報をデバイス管理ＤＢ１０４より読み出す（ステップＳ４０５）。
【００２７】
ここで、同期フラグは、情報管理装置１０の情報メモリ１０５に記憶されている各コンテンツに対応して、端末装置毎にデバイス管理ＤＢ１０４のデバイスコンテンツ情報１０４Ａ２の一部として記憶されている変数であって、あるコンテンツの同期フラグがＯＮであることは、そのコンテンツが端末装置２０のコンテンツメモリ２０５にも記憶されていることを意味し、同期フラグがＯＦＦであることは、そのコンテンツは情報管理装置１０の情報メモリ１０５には記憶されているが端末装置２０のコンテンツメモリ２０５には記憶されていないことを示している。管理画面３００の同期チェックボックス３０５により、使用者は、この同期フラグを操作することができる。同期チェックボックス３０５がチェックされると同期フラグはＯＮとなり、同期チェックボックス３０５のチェックが外されると同期フラグはＯＦＦとなる。また、同期コンテンツグループは単に、端末装置２０で再生可能な全てのコンテンツの集合を意味する。よって、上記ステップＳ４０５においては、デバイス管理ＤＢ１０４の該当する端末装置２０のデバイスコンテンツ情報１０４Ａ２より、当該端末装置２０の同期フラグ情報を取り出す。
【００２８】
次に、上記ステップＳ４０３で生成した全コンテンツ一覧より表示用のコンテンツリストを生成する（ステップＳ４０６）。そして、そのコンテンツリスト中の、上記ステップＳ４０４で生成した同期コンテンツグループに属するコンテンツに、空の同期チェックボックスを追加する（ステップＳ４０７）。その後、それら空の同期チェックボックスの内、同期フラグがＯＮであるコンテンツの同期チェックボックスにチェックを付ける（ステップＳ４０８）。
【００２９】
そして、管理画面３００をディスプレイ１０９に表示し（ステップＳ４０９）、上記同期チェックボックス３０５を含むコンテンツリスト３０３を管理画面３００中に表示して（ステップＳ４１０）、上位のルーチンに戻る。
【００３０】
なおこのとき、コンテンツリスト３０３は、図３に示すように、上記端末装置２０で再生不可能なコンテンツ（例えばＭｕｓｉｃ３及びＭｕｓｉｃ８）つまり同期コンテンツグループに属さないコンテンツのインデックスは、上記端末装置２０で再生可能なコンテンツのインデックスに比べて、明度または彩度を下げて表示する（図では明度または彩度を表現できないので、斜体文字で明度または彩度が低いことを表している）ことで、同期できないコンテンツをユーザが簡単に確認できるようになる。また、上記ステップＳ４０７で同期コンテンツグループに属さないものにはチェックボックスを追加しないので、同期チェックボックス３０５も表示されず、選択もできないようになっている。
【００３１】
図６は、上記ステップＳ６でコールされるコンテンツ選択サブルーチンの詳細フローチャートを示す図である。
【００３２】
即ち、まず、操作された同期チェックボックス３０５を特定する（ステップＳ６０１）。そして、その特定した同期チェックボックス３０５に、操作される前にチェックが付いていたかどうかを判別する（ステップＳ６０２）。
【００３３】
ここで、操作される前にチェックが付いていなかった場合には、表示部１０７によりディスプレイ１０９に表示されている管理画面３００中の当該操作された同期チェックボックス３０５にチェックを付ける（ステップＳ６０３）。そして、上記操作されたコンテンツの同期フラグをＯＮに設定した後（ステップＳ６０４）、上位のルーチンに戻る。
【００３４】
また、上記ステップＳ６０２で、操作される前にチェックが付いていたと判別された場合には、表示部１０７によりディスプレイ１０９に表示されている管理画面３００中の当該操作された同期チェックボックス３０５からチェックを外す（ステップＳ６０５）。そして、上記操作されたコンテンツの同期フラグをＯＦＦに設定した後（ステップＳ６０６）、上位のルーチンに戻る。
【００３５】
図７は、上記ステップＳ８でコールされる同期処理サブルーチンの詳細フローチャートを示す図である。
【００３６】
即ち、まず、端末装置２０のコンテンツメモリ２０５に記憶されているコンテンツの情報を端末装置２０から通信部１０６を介して取得し、実際に端末装置２０に記憶されているコンテンツを特定する（ステップＳ８０１）。これは、端末装置２０や情報管理装置１０単体でコンテンツの削除を行う可能性があって、情報管理装置１０のデバイス管理ＤＢ１０４に記憶されているデバイスコンテンツ情報１０４Ａ２のコンテンツメモリ２０５に記憶されているコンテンツの情報が、実際に端末装置２０のコンテンツメモリ２０５に記憶されている情報に一致しないことがあるためである。
【００３７】
そして、端末装置２０に記憶されていて同期フラグがＯＦＦか、または、同期コンテンツグループに含まれないコンテンツを選別して（ステップＳ８０２）、それら選別されたコンテンツを端末装置２０のコンテンツメモリ２０５から削除する（ステップＳ８０３）。この削除は、通信部１０６から端末装置２０に削除要求を送信することで、それを受信した端末装置２０の処理部２０１が、コンテンツメモリ２０５から当該コンテンツの削除を実際に実行することになる。
【００３８】
次に、同期コンテンツグループに含まれ、同期フラグがＯＮとなっているコンテンツであって、端末装置２０のコンテンツメモリ２０５には記憶されていないコンテンツを選別して（ステップＳ８０４）、それら選別されたコンテンツを情報メモリ１０５から読み出して、端末装置２０のコンテンツメモリ２０５に記憶する（ステップＳ８０５）。これは、読み出したコンテンツを通信部１０６により端末装置２０に送信することで、それを受信した端末装置２０の処理部２０１が、コンテンツメモリ２０５への記憶を実行することで行われる。
【００３９】
そしてその後、現時点で端末装置２０のコンテンツメモリ２０５に記憶されているコンテンツの情報と同期フラグとに基づいて、デバイス管理ＤＢ１０４の該当する端末装置２０のデバイスコンテンツ情報１０４Ａ２を更新して（ステップＳ８０６）、上位のルーチンに戻る。
【００４０】
以上のように、本発明の第１実施形態に係る情報管理装置１０では、端末装置２０から再生可能なコンテンツの種類情報を取得し、端末装置２０で再生できないコンテンツを選択できないようにしたコンテンツリスト３０３を表示するようにしているので、ユーザがコンテンツのファイル形式を意識することなく端末装置２０と情報管理装置１０の同期が行え、また、同期できないコンテンツをユーザが簡単に確認できるようになる。
【００４１】
［第２実施形態］
次に、本発明の第２実施形態を説明する。本実施形態は、著作権によりコピーできないコンテンツについては、コンテンツ移動の選択ができるようにしたものである。
【００４２】
本実施形態の構成は、上記第１実施形態と同様であるので、その説明は省略する。
【００４３】
図８は、本実施形態における管理画面３００を示す図である。即ち、本実施形態における管理画面３００では、上記第１実施形態での同期チェックボックス３０５に代えて、コピーチェックボックス３０６と移動チェックボックス３０７とを表示するようにしているものである。ここで、コピーチェックボックス３０６は、それにチェックが付いていると端末装置２０と情報管理装置１０にコンテンツが記憶され、チェックが付いていない空の場合には情報管理装置１０のみにコンテンツが記憶されることとなる。また、移動チェックボックス３０７は、それにチェックが付いていると端末装置２０のみにコンテンツが記憶され、チェックが付いていない空の場合には情報管理装置１０のみにコンテンツが記憶されることとなる。
【００４４】
以下、このような動作を行うための情報管理装置１０中の処理部１０１での処理について説明する。
【００４５】
処理部１０１によって実行される上記プログラムメモリ１０３に記憶された情報管理プログラムのメインルーチンは、上記第１実施形態における図４のフローチャートと同様であるので、その説明は省略する。
【００４６】
図９は、そのメインルーチンのステップＳ４でコールされる管理画面表示サブルーチンの本実施形態における詳細フローチャートを示す図である。なおここで、ステップＳ４０１乃至ステップＳ４０４は、上記第１実施形態における図５で説明したのと同様の処理であるので、その説明を省略する。
【００４７】
即ち、上記ステップＳ４０４で同期コンテンツグループを生成したならば、次に、コピー及び移動共に許可されていないコンテンツを、その同期コンテンツグループから削除する（ステップＳ４２０）。
【００４８】
次に、上記同期コンテンツグループに属するコンテンツから、コピーが許可されず、移動が許可されたコンテンツを抽出して、移動コンテンツグループを生成する（ステップＳ４２１）。ここで、この移動コンテンツグループは、端末装置２０で再生可能にコピーはできないが、移動は可能な全てのコンテンツの集合を指す。そして、この移動コンテンツグループに属するコンテンツの移動フラグ情報をデバイス管理ＤＢ１０４より読み出す（ステップＳ４２２）。ここで、移動フラグは、情報管理装置１０の情報メモリ１０５に記憶されている各コンテンツに対応して、端末装置毎にデバイス管理ＤＢ１０４のデバイスコンテンツ情報１０４Ａ２の一部として記憶されている変数であって、あるコンテンツの移動フラグがＯＮであることは、そのコンテンツが情報管理装置１０の情報メモリ１０５には記憶されていないが、端末装置２０のコンテンツメモリ２０５に記憶されていることを意味し、移動フラグがＯＦＦであることは、そのコンテンツは端末装置２０のコンテンツメモリ２０５には記憶されていないが、情報管理装置１０の情報メモリ１０５には記憶されていることを示している。管理画面３００の移動チェックボックス３０７により、使用者は、この移動フラグを操作することができる。移動チェックボックス３０７がチェックされると移動フラグはＯＮとなり、移動チェックボックス３０７のチェックが外されると移動フラグはＯＦＦとなる。よって、このステップＳ４２２においては、デバイス管理ＤＢ１０４の該当する端末装置２０のデバイスコンテンツ情報１０４Ａ２より、移動フラグ情報を取り出す。
【００４９】
次に、同期コンテンツグループに属するコンテンツから、上記移動コンテンツグループに属するコンテンツを除いたコピーコンテンツグループを作成し（ステップＳ４２３）、そのコピーコンテンツグループに属するコンテンツのコピーフラグ情報をデバイス管理ＤＢ１０４より読み出す（ステップＳ４２４）。ここで、コピーフラグは、情報管理装置１０の情報メモリ１０５に記憶されている各コンテンツに対応して、端末装置毎にデバイス管理ＤＢ１０４のデバイスコンテンツ情報１０４Ａ２の一部として記憶されている変数であって、あるコンテンツのコピーフラグがＯＮであることは、そのコンテンツが端末装置２０のコンテンツメモリ２０５にも記憶されていることを意味し、コピーフラグがＯＦＦであることは、そのコンテンツは情報管理装置１０の情報メモリ１０５には記憶されているが端末装置２０のコンテンツメモリ２０５には記憶されていないことを示している。管理画面３００のコピーチェックボックス３０６により、使用者は、このコピーフラグを操作することができる。コピーチェックボックス３０６がチェックされるとコピーフラグはＯＮとなり、コピーチェックボックス３０６のチェックが外されるとコピーフラグはＯＦＦとなる。また、コピーコンテンツグループは、端末装置２０で再生可能でコピー可能な全てのコンテンツの集合を指す。
【００５０】
その後、上記ステップＳ４０３で生成した全コンテンツ一覧より表示用のコンテンツリストを生成する（ステップＳ４０６）。そして、そのコンテンツリスト中の、上記ステップＳ４２１で生成した移動コンテンツグループに属するコンテンツに、空の移動チェックボックスを追加し（ステップＳ４２５）、それら空の移動チェックボックスの内、移動フラグがＯＮであるコンテンツの移動チェックボックスにチェックを付ける（ステップＳ４２６）。また、上記コンテンツリスト中の、上記ステップＳ４２３で生成したコピーコンテンツグループに属するコンテンツに、空のコピーチェックボックスを追加し（ステップＳ４２７）、それら空のコピーチェックボックスの内、コピーフラグがＯＮであるコンテンツのコピーチェックボックスにチェックを付ける（ステップＳ４２８）。
【００５１】
そして、管理画面３００をディスプレイ１０９に表示し（ステップＳ４０９）、上記コピーチェックボックス３０６及び移動チェックボックス３０７を含むコンテンツリスト３０３を管理画面３００中に表示して（ステップＳ４１０）、上位のルーチンに戻る。
【００５２】
図１０は、上記ステップＳ６でコールされるコンテンツ選択サブルーチンの本実施形態における詳細フローチャートを示す図である。
【００５３】
即ち、まず、操作されたチェックボックスを特定し（ステップＳ６１０）、それがコピーチェックボックス３０６であるのか移動チェックボックス３０７であるのかを判別する（ステップＳ６１１）。
【００５４】
コピーチェックボックス３０６が操作された場合には、そのコピーチェックボックス３０６に、操作される前にチェックが付いていたかどうかを判別する（ステップＳ６１２）。ここで、操作される前にチェックが付いていなかった場合には、表示部１０７によりディスプレイ１０９に表示されている管理画面３００中の当該操作されたコピーチェックボックス３０６にチェックを付け（ステップＳ６１３）、上記操作されたコンテンツのコピーフラグをＯＮに設定した後（ステップＳ６１４）、上位のルーチンに戻る。また、上記ステップＳ６１２で、操作される前にチェックが付いていたと判別された場合には、表示部１０７によりディスプレイ１０９に表示されている管理画面３００中の当該操作されたコピーチェックボックス３０６からチェックを外し（ステップＳ６１５）、上記操作されたコンテンツのコピーフラグをＯＦＦに設定した後（ステップＳ６１６）、上位のルーチンに戻る。
【００５５】
一方、上記ステップＳ６１１で、移動チェックボックス３０７が操作されたと判別された場合には、その移動チェックボックス３０７に、操作される前にチェックが付いていたかどうかを判別する（ステップＳ６１７）。ここで、操作される前にチェックが付いていなかった場合には、表示部１０７によりディスプレイ１０９に表示されている管理画面３００中の当該操作された移動チェックボックス３０７にチェックを付け（ステップＳ６１８）、上記操作されたコンテンツの移動フラグをＯＮに設定した後（ステップＳ６１９）、上位のルーチンに戻る。また、上記ステップＳ６１７で、操作される前にチェックが付いていたと判別された場合には、表示部１０７によりディスプレイ１０９に表示されている管理画面３００中の当該操作された移動チェックボックス３０７からチェックを外し（ステップＳ６２０）、上記操作されたコンテンツの移動フラグをＯＦＦに設定した後（ステップＳ６２１）、上位のルーチンに戻る。
【００５６】
図１１は、上記ステップＳ８でコールされる同期処理サブルーチンの本実施形態における詳細フローチャートを示す図である。
【００５７】
即ち、まず、端末装置２０のコンテンツメモリ２０５に記憶されているコンテンツの情報を端末装置２０から通信部１０６を介して取得し、実際に端末装置２０に記憶されているコンテンツを特定する（ステップＳ８０１）。これは、端末装置２０単体でコンテンツの削除を行う可能性があって、情報管理装置１０のデバイス管理ＤＢ１０４に記憶されているデバイスコンテンツ情報１０４Ａ２のコンテンツメモリ２０５に記憶されているコンテンツの情報が、実際に端末装置２０のコンテンツメモリ２０５に記憶されている情報に一致しないことがあるためである。
【００５８】
そして、端末装置２０に記憶されているコピー可能なコンテンツであって、コピーフラグがＯＦＦであるコンテンツを選別して（ステップＳ８１０）、それら選別されたコンテンツを端末装置２０のコンテンツメモリ２０５から削除する（ステップＳ８０３）。次に、コピーフラグがＯＮであって、端末装置２０のコンテンツメモリ２０５には記憶されていないコンテンツを選別して（ステップＳ８１１）、それら選別されたコンテンツを情報メモリ１０５から読み出して、端末装置２０のコンテンツメモリ２０５に記憶する（ステップＳ８０５）。
【００５９】
その後、端末装置２０に記憶されている移動可能なコンテンツであって、移動フラグがＯＦＦであるコンテンツを選別する（ステップＳ８１２）。そして、それら選別されたコンテンツを、端末装置２０のコンテンツメモリ２０５から読み出して、情報管理装置１０の情報メモリ１０５に記憶した後（ステップＳ８１３）、その情報管理装置１０の情報メモリ１０５に記憶したコンテンツを、上記端末装置２０のコンテンツメモリ２０５から削除する（ステップＳ８１４）。このようにして、移動チェックボックス３０７にチェックが付されていないコンテンツが端末装置２０から情報管理装置１０に移動される。なお、上記ステップＳ８１３でのコンテンツの読み出しは、実際には、通信部１０６から端末装置２０にコンテンツ送信要求を送信することで、それを受信した端末装置２０の処理部２０１がコンテンツメモリ２０５から当該コンテンツを読み出して送信してくるので、それを受信することにより行われる。
【００６０】
次に、移動フラグがＯＮであって、端末装置２０のコンテンツメモリ２０５には記憶されていないコンテンツを選別する（ステップＳ８１５）。そして、それら選別されたコンテンツを情報メモリ１０５から読み出して、端末装置２０のコンテンツメモリ２０５に記憶した後（ステップＳ８１６）、その端末装置２０のコンテンツメモリ２０５に記憶したコンテンツを、情報管理装置１０の情報メモリ１０５から削除する（ステップＳ８１７）。このようにして、移動チェックボックス３０７にチェックが付されたコンテンツが情報管理装置１０から端末装置２０に移動される。
【００６１】
そしてその後、現時点で端末装置２０のコンテンツメモリ２０５に記憶されているコンテンツ、及び、情報管理装置１０の情報メモリ１０５に記憶されているコンテンツの情報と、コピーフラグ及び移動フラグとに基づいて、デバイス管理ＤＢ１０４の該当する端末装置２０のデバイスコンテンツ情報１０４Ａ２を更新して（ステップＳ８１８）、上位のルーチンに戻る。
【００６２】
以上のように、本発明の第２実施形態に係る情報管理装置１０によれば、著作権によりコピーできないコンテンツについて、コンテンツ移動の選択ができる。
【００６３】
以上実施形態に基づいて本発明を説明したが、本発明は上述した実施形態に限定されるものではなく、本発明の要旨の範囲内で種々の変形や応用が可能なことは勿論である。
【００６４】
例えば、上記実施形態では、プログラムメモリ１０３に予め情報管理プログラム等の各種制御プログラムを記憶しているものとしたが、それは、ＣＤ−ＲＯＭ等の記録媒体によって提供され、その記録媒体から読み込んでプログラムメモリ１０３に記憶させたものでも良い。更には、インターネットやＬＡＮ等のネットワークを介して外部の記録媒体に記録されたものをダウンロードしてプログラムメモリ１０３に記憶させたものであっても構わない。
【図面の簡単な説明】
【００６５】
【図１】図１は本発明の第１実施形態に係る情報管理装置及び該情報管理装置が管理するマルチメディアコンテンツを転送記憶して再生する情報再生装置としての端末装置の構成を示す図である。
【図２】図２は第１実施形態に係る情報管理装置のデバイス管理ＤＢの記憶構成を示す図である。
【図３】図３は第１実施形態に係る情報管理装置の表示部によってディスプレイに表示される管理画面を示す図である。
【図４】図４は第１実施形態に係る情報管理装置の処理部の動作を説明するメインルーチンのフローチャートを示す図である。
【図５】図５は図４中の管理画面表示サブルーチンの詳細フローチャートを示す図である。
【図６】図６は図４中のコンテンツ選択サブルーチンの詳細フローチャートを示す図である。
【図７】図７は図４中の同期処理サブルーチンの詳細フローチャートを示す図である。
【図８】図８は本発明の第２実施形態に係る情報管理装置における管理画面を示す図である。
【図９】図９は第２実施形態における管理画面表示サブルーチンの詳細フローチャートを示す図である。
【図１０】図１０は第２実施形態におけるコンテンツ選択サブルーチンの詳細フローチャートを示す図である。
【図１１】図１１は第２実施形態における同期処理サブルーチンの詳細フローチャートを示す図である。
【符号の説明】
【００６６】
１０…情報管理装置、  ２０…端末装置、  １０１，２０１…処理部、  １０２，２０２…システムバス、  １０３，２０３…プログラムメモリ、  １０４…デバイス管理データベース（ＤＢ）、  １０４Ａ…デバイス管理情報、  １０４Ａ１…デバイスＩＤ、  １０４Ａ２…デバイスコンテンツ情報、  １０４Ｂ…ホストコンテンツ情報、  １０５…情報メモリ、  １０６，２０６…通信部、  １０７，２０７…表示部、  １０８，２０８…音声再生部、  １０９，２０９…ディスプレイ、  １１０，２１０…スピーカ、  ２０４…デバイスＩＤメモリ、  ２０５…コンテンツメモリ、  ３００…管理画面、  ３０１…同期ボタン、  ３０２…終了ボタン、  ３０３…コンテンツリスト、  ３０４…スクロールバー、  ３０５…同期チェックボックス、  ３０６…コピーチェックボックス、  ３０７…移動チェックボックス。
【図１】
2006107191.tif 000003
【図２】
2006107191.tif 000004
【図３】
2006107191.tif 000005
【図４】
2006107191.tif 000006
【図５】
2006107191.tif 000007
【図６】
2006107191.tif 000008
【図７】
2006107191.tif 000009
【図８】
2006107191.tif 000010
【図９】
2006107191.tif 000011
【図１０】
2006107191.tif 000012
【図１１】
2006107191.tif 000013